(57)【要約】【課題】劇場等において、舞台や客席の空間を有効に利用して、コストをかけずに多種多様な空間を演出するのに好適な観覧設備を提供する。【解決手段】上面に複数の客席１ｃを具備し、下面にエアーベアリング２を装着して床面上を移動可能に形成した支持体１と、下面にエアーベアリング２を装着して床面上を移動可能に形成したベース体３とからなり、該ベース体３の上面を平坦な床張り３ａとすると共に該ベース体３の上面に前記支持体１を載置して互いに係着するように形成した。【選択図】        図１
2005002595.tif 000002
【特許請求の範囲】
【請求項１】
上面に複数の客席を具備し、下面にエアーベアリングを装着して床面上を移動可能に形成した支持体と、下面にエアーベアリングを装着して床面上を移動可能に形成したベース体とからなり、該ベース体の上面に前記支持体を載置して、互いに係着可能に形成した観覧設備。
【請求項２】
前記ベース体の上面を平坦に形成して、前記ベース体を舞台として利用可能とした請求項１に記載の観覧設備。
【請求項３】
前記支持体及び前記ベース体は、前記エアーベアリングを複数個装着した構造の請求項１又は請求項２に記載の観覧設備。
【請求項４】
前記エアーベアリングは矩形の座布団状のマットを有し、該マットの下面を下方に膨出させて接置面を形成する構造とすると共に該マットへのエアーの供給を調節可能に形成した請求項１乃至請求項３のいずれか１に記載の観覧設備。
【請求項５】
前記支持体は、上面が後段程順次高い階段状の段差を有する形状に形成されている請求項１に記載の観覧設備。
【請求項６】
床面にピットを形成すると共に該ピット内に、最上位置で上面が前記床面と同一面となる昇降板を昇降制御可能に設け、該昇降板の上面に、下面にエアーベアリングを装着したベース体を１又は複数載置した観覧設備。
【発明の詳細な説明】
【０００１】
【発明の属する技術分野】
本発明は劇場や競技施設その他において客席や舞台等の空間を有効に利用し、多目的の用途に使用するための観覧設備に関する。
【０００２】
【従来の技術】
従来は、劇場等の空間を多目的、多用途に使用するための設備として、舞台と客席床を区画し、区画された床面に昇降可能なリフト装置を形成したりしていた。
【０００３】
又、舞台等の施設物の支持体をエアーベアリングにより浮上支持して移動するようにしたものが知られており、これに関する移動装置として、出願人は先に舞台等の施設物の支持体が複数の区域支持体からなり、これら各区域支持体の下面にエアーベアリング集合体をそれぞれ設け、これら各エアーベアリング集合体の複数のエアーベアリングにエアーを供給して前記支持体を浮上してからワイヤー巻取りウインチによるワイヤー巻取りにより前記支持体を移動したり或いは旋回する装置（例えば、特許文献１参照。）を提案した。
【０００４】
【特許文献１】
特願２００２−１１６５２６
【０００５】
【発明が解決しようとする課題】
従来のようにリフト装置を利用して多様な空間を形成しようとした場合、必要とされる空間形成の数に応じて多くのリフト装置等の設備が必要となり、設備コストが過大になるという問題点があった。
【０００６】
本発明はこのような問題点を解消し、舞台や客席の空間を有効に利用して、コストをかけずに多種多様な空間を形成するのに好適な観覧設備を提供することを目的とする。
【０００７】
【課題を解決するための手段】
本発明は上記の目的を達成すべく、上面に複数の客席を具備し、下面にエアーベアリングを装着して床面上を移動可能に形成した支持体と、下面にエアーベアリングを装着して床面上を移動可能に形成したベース体とからなり、該ベース体の上面に前記支持体を載置して、互いに係着可能に形成した。
【０００８】
【発明の実施の形態】
本第１発明の観覧設備の１実施の形態を図１乃至図７により説明する。
【０００９】
図１に示す観覧席５の縦断面図において、１は支持体を示し、該支持体１は長方形状の基部１ａと、該基部１ａ上に形成され上部を階段状とした段差部１ｂとからなり、これら段差部１ｂは例えば後段程高い３段の階段状の段部１ｂ１、１ｂ２、１ｂ３からなり、これら各段部１ｂ１、１ｂ２、１ｂ３上に複数の客席１ｃが設置されている。
【００１０】
そして前記基部１ａの下面の左右の複数位置にエアーベアリング２を装着した。
【００１１】
該エアーベアリング２の縦断面図を図２にしめす。
【００１２】
ここで該エアーベアリング２即ちエアキャスターは、矩形の座布団状のマット２ａを有し、該マット２ａは多孔質のゴムシートからなり、該マット２ａの下面を下方に膨出させて接地面を形成した。
【００１３】
そして該エアーベアリング２の上面には金属板製の天板２ｂがあって該天板２ｂを介して前記支持体１の荷重をマット２ａに伝達するようにしている。
【００１４】
尚、２ｃは前記マット２ａに連設したエアー供給口で、コンプレッサー又はブロアー（図示せず）からエアーが供給されるように形成している。
【００１５】
前記図１において、３はベース体であり、該ベース体３は上面を平坦な床張り３ａとした梁構造の四角い立方形に形成されており、該ベース３の下面の複数位置にエアーベアリング２を装着している。
【００１６】
又、前記ベース体３は、その上面に前記支持体１を載置して、位置決め装置により、これら支持体１をベース体３とを係着して着床させている。
【００１７】
これら支持体１及びベース体３を用いた観覧設備５の平面図を図３に示す。
【００１８】
尚、該図３において、縦の中央線の右半分に支持体１の平面図を示し、又、その左半分にベース体３の平面図を示した。
【００１９】
該平面図３において、ベース体３は前記支持体１と略同じ縦幅及び横幅に形成されているが、その高さは、設置する場所に応じた必要の高さに形成される。
【００２０】
次に本実施の形態の使用方法について説明する。
【００２１】
図４は劇場内の観覧設備等の第１の配置状況を示し、図５は該第１の配置状況における劇場内の床面の縦断面図である。
【００２２】
この配置状況において、主舞台Ａに向かって複数の支持体１、観覧設備５及び観覧設備５´が、後方程順次座席１ｃの高さが高くなるように配置されている。
【００２３】
尚、Ｂは前記主舞台Ａの前部の床面に設置されたリフト装置である。
【００２４】
図６は劇場内の観覧設備等の第２の配置状況を示し、これは前記第１の配置状況における支持体１や観覧設備５、５´等を移動させて再配置して形成した。
【００２５】
即ち、この第２の配置状況において、主舞台Ａは前面を引割緞帳Ａ１等で隠し、該主舞台Ａの前部のリフト装置Ｂを上昇させて小舞台を形成すると共に、該リフト装置Ｂの小舞台に隣接してベース体３を１台配置して張出し舞台を形成し、該張出し舞台を挟んで左右に各１対の支持体１を向かい合せに配置している。
【００２６】
尚、この張出し舞台に用いたベース体３は、前記第１の配置状況における観覧設備５´の内の１組の下段にあったものを移動してきたものであり、本第２の配置状況で不要となった前記観覧設備５´の残りの部分は、前記主舞台Ａの上に移動させて、次回の利用時まで待機させておく。
【００２７】
尚、本配置は、歌謡ショー、ファッションショーの舞台等に適している。
【００２８】
図７は劇場内の観覧設備等の第３の配置状況を示し、これも前記第１の配置状況における支持体１や観覧設備５、５´等を移動させて再配置して形成した。
【００２９】
即ち、この第３の配置状況において、主舞台Ａは前面を引割緞帳Ａ１等で隠し、客席の中央部にはベース体３を２台並べて配置して中央舞台を形成させ、該中央舞台を囲んで前後左右に各々複数又は単数の支持体１を配置した。
【００３０】
ここで前記中央舞台を形成した２台のベース体３は、前記第１の配置状況における観覧設備５´の下段を移動してきたものであり、前記第１の配置状況における観覧設備５の下段のベース体２台、及び不要となった１台の支持体は、主舞台Ａの上に移動して待機させている。
【００３１】
尚、本配置はプロレスやボクシング等の舞台に適している。
【００３２】
このように観覧設備を移動変更させるときには、分離している支持体１やベース体３のエアーベアリング２にエアーを供給して床面から浮上するようにし、又ベース体３上に支持体１を載置係止している状態のまま移動する必要があるときにはベース体３のみのエアーベアリング２にエアーを供給してこれらの載置係止した状態のまま床面から浮上するようにし、これらを人力によって押して移動させている。
【００３３】
尚、ベース体３への支持体１の係着又は分離は、後述するピット１１内のリフト装置１２の昇降板１２ｂ上に前記ベース体３を載置して該ベース体３の上面を床面と同一面の状態にして行う。
【００３４】
このようにして、僅かな人手で短時間の内に劇場内の観覧席の移動変更や舞台の設置を行なうことができ、又、ベース体３や支持体１の配置を変化させることにより、多様な舞台や客席空間の形成を行なうことができる。
【００３５】
本第２発明の観覧設備の１実施の形態を図８及び図９により説明する。
【００３６】
１１は劇場等の床面ＦＬに設けたピットであり、該ピット１１内には、複数の昇降脚部１２ａを有するリフト装置１２が設置されている。
【００３７】
前記昇降脚部１２ａの上部には昇降板１２ｂが固定されていて、リフト装置１２の最上位置で該昇降板１２ｂの上面が前記床面ＦＬと同一面となるように制御可能に形成されている。
【００３８】
前記昇降板１２ｂの上部には例えば２段のベース体１３が載置係止されている。
【００３９】
そして前記ベース体１３の下面には複数のエアーベアリング（図示せず）を装着して、床面を移動可能に形成している。
【００４０】
尚、これらエアーベアリングは、前記の第１の発明におけるエアーベアリング２と同様のものである。
【００４１】
これらベース体１３及び前記リフト装置１２が本実施の形態の観覧設備６を形成している。
【００４２】
次に本実施の形態の観覧設備６の使用方法について説明する。
【００４３】
図８において、エアーベアリングのエアーを抜いた状態の２段のベース体１３を昇降板１２ｂ上に載置係止して該昇降板１２ｂを降下し、上側のベース体１３の上面が床面と同一面にしておくと、該ベース体１３の上面が床面の一部となると共に、ピット１１内がこれらベース体１３の収納場所となる。
【００４４】
次にリフト装置１２を操作して昇降板１２ｂの上面が床面ＦＬと同一面となるようにしてから、前記ベース体１３のエアーベアリングにエアーを供給してこれを浮上させ、前記ベース体１３を床面ＦＬ上に移動して図９の如く並べてからエアーベアリングからエアーを排出してこれらベース体１３を床面上にセットすれば小部隊が形成される。
【００４５】
又、エアーベアリングを装着したベース体１３を簡単に移動させて、昇降板１２ｂを降下させれば容易にオーケストラボックス用のピットを有する配置に変更することができる。
【００４６】
尚、この実施の形態においてベース体１３が２段の例を示したが、１段の場合或いは３段以上の場合のいずれでもよい。
【００４７】
【発明の効果】
このように本発明によれば、客席の移動が簡便であり、舞台や客席の空間を有効に利用して、安価に多種多様な空間を演出できるような、応用範囲の広い観覧設備を提供できる効果を有する。
【図面の簡単な説明】
【図１】本第１発明の観覧設備の１実施の形態の縦断面図である。
【図２】エアーベアリングの構造を示す縦断面図である。
【図３】図１に示す観覧設備の一部平面図である。
【図４】本第１発明の観覧設備を多数備えた劇場内の、観覧設備等の第１の配置状況を示す平面図である。
【図５】図４に示した第１の配置状況における劇場内の床面の縦断面図である。
【図６】図４に示した劇場内の、観覧設備等の第２の配置状況を示す平面図である。
【図７】図４に示した劇場内の、観覧設備等の第３の配置状況を示す平面図である。
【図８】本第２発明の観覧設備の、１実施の形態のベース体を備えた劇場内の配置の一例の縦断面図である。
【図９】図８に示した劇場内の、図８とは異なるベース体の配置状態の縦断面図である。
【符号の説明】
１          支持体
１ｃ        客席
２          エアーベアリング
２ａ        マット
３、１３    ベース体
５、６      観覧設備
１１        ピット
１２ｂ      昇降板
【図１】
2005002595.tif 000003
【図２】
2005002595.tif 000004
【図３】
2005002595.tif 000005
【図４】
2005002595.tif 000006
【図５】
2005002595.tif 000007
【図６】
2005002595.tif 000008
【図７】
2005002595.tif 000009
【図８】
2005002595.tif 000010
【図９】
2005002595.tif 000011